(57)【特許請求の範囲】
【請求項１】
相対向して噛合可能なジッパーテープの対向面に設けられた複数の結合歯を噛み合わせたり分離させるジッパースライダーと、
前記結合歯の外側部に前記ジッパーテープの長手方向に沿って配置されて、前記ジッパーテープの上面に付着された案内レールと、
前記ジッパースライダーの先端に連結され、内部側で前記案内レールに案内されながら摺動し、前記結合歯が噛み合う前に両側の前記ジッパーテープ間の間隔を互いに狭める補助スライダーと、
を備えることを特徴とする、ジッパー。
【請求項２】
前記補助スライダーは、
前記補助スライダーの下部に前記案内レールが結合される複数の案内路と、
前記複数の案内路が形成されるように、前記補助スライダーの下面の中央に分離壁が形成された上部体と、
前記上部体の下部に結合されて前記案内路を規定する下部支持板と、
前記上部体と前記下部支持板を結合させる固定ピンと、
を有することを特徴とする、請求項１に記載のジッパー。
【請求項３】
前記案内レールは一定間隔をおいて形成された凹溝を有し、前記凹溝の底面前方と後方にはそれぞれ縫線が縫合される縫合孔が形成されて、前記案内レールが前記ジッパーテープに縫着されることを特徴とする、請求項１に記載のジッパー。
【請求項４】
前記補助スライダーは前記ジッパースライダーの先端に形成された連結輪が挿設される連結孔が形成された突出部を有することを特徴とする請求項２に記載のジッパー。
【請求項５】
前記補助スライダーは前記上部体の側端部から垂直下方に所定長さに延びる離脱防止部を有することを特徴とする、請求項２に記載のジッパー。
【請求項６】
前記補助スライダーは、
前記補助スライダー内に規定される前記案内路が中心から一側へ行くほど順次に幅が拡大し、中心から他側へ行くほど順次に幅が縮小したラッパ状で形成されることを特徴とする、請求項２に記載のジッパー。
【発明の詳細な説明】
【技術分野】
【０００１】
本発明は、ジッパーに関し、より詳細には、ジッパースライダーの先端にジッパーテープ間の間隔を狭める補助スライダーを備え、結合歯が噛み合う前に予め補助スライダーが移動しながらジッパーテープ間の間隔を狭めるジッパーに関する。
【背景技術】
【０００２】
周知のように、ジャンバーや洋服ズボンのポケットをはじめとして、リュックサックやかばん、運動靴、ブーツなどは開口部を閉じるための色々な形態のジッパーが付着している。
【０００３】
このようなジッパーは毎使用時に紐を縛る不便さを減らすために開発されたもので、基本的な原理をみると、布などからなったジッパーテープに左右１列に並んだ結合歯が固定されており、この結合歯にはジッパースライダーが長手方向に移動自在に設けられている。したがって、ジッパーの中央取っ手を握ってジッパーを一側に引くと、ジッパースライダーによって結合歯が互いに噛み合いながらかばんなどの開口部を閉じる一方、反対側にジッパースライダーを引くと、噛み合っていた結合歯が分離しながら開口部が開放される。
【０００４】
ジッパーの種類にはジッパーを外に露出させるようにしたもの、縁部内に隠して外に露出されないようにしたもの、下部が互いに分離するようになっているものなどがある。その他にも結合歯が特別に大きくて開閉する取っ手に装飾品を飾ったり装飾用石を固着したジャイアンツジッパー、防水が可能な平面ジッパー、ジッパーの環を持ち上げなければジッパーが移動しない安全ジッパーなどがある。
【０００５】
図１は従来技術のジッパーの一例を示す平面図である。
この図１に示したように、ジッパー１００は一般的に織物材で構成された一対のジッパーテープ１２０が互いに対向する形態で配置されており、これらのジッパーテープ１２０にはそれぞれ、その接触面に所定の間隔をおいて配置される歯構造の結合歯１２２が連設されている。結合歯１２２のライン上には取っ手１１４を備えたジッパースライダー１１０が結合されており、このジッパースライダー１１０が結合歯１２２に沿って前進及び後進移動することによって、一対の結合歯１２２が互いに噛み合ったり分離したりして開口部を開放または閉鎖する。
【０００６】
図面において、取っ手１１４を握ってジッパースライダー１１０を上方に上昇させると、このジッパースライダー１１０の上方に位置した一対の結合歯１２２が互いに分離された状態からジッパースライダー１１０の本体１１２内で互いに噛み合い、反対にジッパースライダー１１０を下方に下降させると、噛み合っていた結合歯１２２がジッパースライダー１１０の本体１１２を抜け出ながら互いに分離される。
【０００７】
しかし、このような構造を有する従来のジッパーは、噛み合う時に、ジッパーの内部に入っている内容物が多くてタイトにロックされる場合、広がった状態のジッパーテープを両手で付勢しながらジッパースライダーを上昇させる必要がある。この過程で多くの力が加えられ、内容物の圧力により結合歯の結合状態が解除されながらジッパーが分離されることによって、内容物が外に突出したりジッパーを再使用することができなくなる問題がある。
【０００８】
例えば、女性や中年の男性などの補正用下着であるコルセットに付着されたジッパーの場合には、外服により現われるスタイルを下着で強制補正するための衣類であるため、身体の一部がジッパーを外に強く付勢するようになり、その過程で片手でジッパースライダーを上げることが難しいなどの不便さがある。
このような問題点を解決するために、本出願人は新しい構造のジッパーを開発して２００１年５月３日出願した（特許文献１）。
【０００９】
この特許文献１について図２、３を参照して詳細に説明する。
特許文献１に開示されたジッパー１０は、ジッパースライダーが摺動しながらジッパーが閉められる過程で内容物により結合歯が分離されることを防止すると共に、完全にジッパーが閉まった状態で結合歯の結合状態が解除され、ジッパーが開くことを防止することができる役割をする防止手段を備えたジッパーを提供することにその目的がある。
【００１０】
ジッパー１０には、ジャンバーやかばんなどの開口部を開閉するスライダー組立体の摺動を案内するガイド４０がプレート状の構造に製作されており、このガイド４０にはスライダー組立体が摺動しながら支持される案内レール４４が設けられるジッパー１０を例示した。
【００１１】
すなわち、本出願人が開発した特許文献１に開示されたジッパー１０は、そのジッパー１０を構成するジッパーテープ６０、６２の対向面に複数の結合歯５０、５２が固定されており、これらの結合歯５０、５２はスライダー組立体を構成する上部スライダー２０の上下移動によって噛み合ったり分離したりする。
この時、スライダー組立体を構成する下部スライダー(図３の３０）は前述したプレート状のガイド４０に設けられた案内レール４４に沿って摺動する。
【００１２】
ここで、下部スライダー３０の長手方向移動を案内するガイド４０はプレート状のガイド本体４２からなっており、このガイド本体４２の内側対向面には案内レール４４が形成されている。
【００１３】
また、案内レール４４の上面には複数の防止溝４４aが設けられて、スライダー組立体が任意に移動して結合歯５０、５２の噛み合い状態が解除されることを防止する安全機能を提供する。
そして、ガイド本体４２の外側面には厚肉部４６が形成されており、この厚肉部４６には複数の結合孔４８が所定の間隔をおいて離間して形成されている。この結合孔４８には固定用紐などが挿設されてガイド４０の移動を防止する構成である。
【００１４】
しかし、上部スライダー２０には取っ手２４が付着され、ジッパーの使用時には取っ手２４を握ってスライダー組立体を上下に移動させて開口部を開閉するようになる。上部スライダー２０を構成する上部体２２の中央には上部隔壁が形成されており、両側面には上部延長部が下方に延びている。この上部延長部は下部スライダー３０を構成する下部体と一定間隔を維持することによって、結合歯５０、５２の離脱を防止すると共に、ジッパーテープ６０、６２の挿入を可能にする。
【００１５】
一方、下部スライダー３０を構成する下部体の中央には下部隔壁が形成されており、この下部隔壁を中心に左右にはガイド４０の案内レール４４が挿入される二つの下部案内溝が提供される。また、下部体の両側面には、それぞれ垂直下方に及び垂直上方に延びる延長部が形成されている。これらの延長部の間にはガイド４０のガイド本体４２が挿入される。また、上部スライダー２０にも上部隔壁を中心に左右にはジッパーテープ６０、６２に固定された結合歯５０、５２が挿入される二つの上部案内溝が提供されている。
【００１６】
【特許文献１】韓国特許登録第４０４５１２号公報（２００３年１０月２４日登録）
【発明の開示】
【発明が解決しようとする課題】
【００１７】
しかし、前述したジッパー１０もやはりガイド本体４２と案内レール４４を構成するためのガイド４０を別途に製作して、ジッパーテープ６０、６２の下面に付着しなければならない。そのため、工程が複雑であり、別の部品を新しく製作しなければならない問題点があり、それによって経済性が低下するという問題があった。
【００１８】
また、ジッパー１０を構成するジッパースライダーはジッパーの結合歯５０、５２を噛み合せる上部スライダー２０と、案内レール４４を噛み合わせる下部スライダー３０が積層された構造になっている。そのため、ジッパースライダーの厚さが大きくなる。それによって、使用者は異物感を感じるようになり、ジッパースライダーが衣類から外側に膨らんで突出するため、美観上ファッション感が低下するという問題があった。
【００１９】
また、従来のジッパー１０は、ジッパーの結合歯５０、５２を噛み合せる上部スライダー２０と、案内レール４４を噛み合せる下部スライダー３０を垂直に積層した構造になっているため、上部スライダー２０がジッパーの結合歯５０、５２を噛み合わせる位置と、下部スライダー３０が案内レール４４を狭める位置が同一な地点である。それによって、ジッパー１０の結合歯５０、５２の噛み合いのために下部スライダー３０が案内レール４４を狭めることが不可能になる。したがって、下部スライダー３０は上部スライダー２０がジッパーの結合歯５０、５２を噛み合うための力を軽減させる役割を正しく行うことができないという問題があった。
【００２０】
そこで、本発明は、上記問題に鑑みてなされたものであり、本発明の目的とするところは、小さな力でも容易にジッパーの結合歯を噛み合わせて、結合安定度を向上させることが可能な、新規かつ改良されたジッパーを提供することにある。
【課題を解決するための手段】
【００２１】
上記課題を解決するために、本発明のある観点によれば、相対向して噛合可能なジッパーテープの対向面に設けられた複数の結合歯を噛み合わせたり分離させるジッパースライダーと、結合歯の外側部にジッパーテープの長手方向に沿って配置されて、ジッパーテープの上面に付着された案内レールと、ジッパースライダーの先端に連結され、内部側で案内レールに案内されながら摺動し、結合歯が噛み合う前に両側のジッパーテープ間の間隔を互いに狭める補助スライダーと、を備えることを特徴とする、ジッパーが提供される。
【００２２】
補助スライダーは、補助スライダーの下部に案内レールが結合される複数の案内路と、複数の案内路が形成されるように、補助スライダーの下面の中央に分離壁が形成された上部体と、上部体の下部に結合されて案内路を規定する下部支持板と、上部体と下部支持板を結合させる固定ピンと、を有してもよい。
【００２３】
案内レールは一定間隔をおいて形成された凹溝を有し、凹溝の底面前方と後方にはそれぞれ縫線が縫合される縫合孔が形成されて、案内レールがジッパーテープに縫着されてもよい。
【００２４】
補助スライダーはジッパースライダーの先端に形成された連結輪が挿設される連結孔が形成された突出部を有してもよい。
【００２５】
補助スライダーは上部体の側端部から垂直下方に所定長さに延びる離脱防止部を有してもよい。案内路を通じて通過する案内レールからの補助スライダーの離脱が防止されてもよい。
【００２６】
補助スライダーは、補助スライダー内に規定される案内路が中心から一側へ行くほど順次に幅が拡大し、中心から他側へ行くほど順次に幅が縮小したラッパ状で形成されてもよい。補助スライダーの一端部には、案内レールが広げるように拡張端を備え、別の一端部には、案内レールが狭まるように縮小端を備えてもよい。
【発明の効果】
【００２７】
以上説明したように本発明によれば、小さな力でも容易にジッパーの結合歯を噛み合わせて、結合安定度を向上させることが可能な、新規かつ改良されたジッパーを提供することができる。
【発明を実施するための最良の形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
図４は本発明の一実施形態に係る結合安定度が優れたジッパーを示す斜視図であり、図５は同実施形態に係る結合安定度が優れたジッパーのジッパースライダーを示す要部斜視図であり、図６は同実施形態に係る結合安定度が優れたジッパーのジッパースライダー構造を示すジッパーテープの延在方向に対して垂直に切断した断面図である。
【００３０】
これらの図面を参照すれば、本実施形態に係るジッパー２１０は、ジッパースライダーの先端にジッパーテープ間の間隔を狭める補助スライダーを備え、結合歯が噛み合う前に予め補助スライダーが移動しながらジッパーテープ間の間隔を狭めることによって、小さな力でも容易にジッパーの結合歯を噛み合うことができるようにした装置である。
【００３１】
すなわち、本実施形態に係るジッパー２１０は、分離しているジッパーの結合歯５０、５２を噛み合わせるためのジッパースライダー２５０と、ジッパーの結合歯５０、５２が対向して設けられたジッパーテープ６０、６２と、これらのジッパーテープ６０、６２間の間隔をそれぞれ狭めることによって、結合歯５０、５２が容易に噛み合うことができるようにした補助スライダー２２０とからなっている。
【００３２】
補助スライダー２２０はジッパースライダー２５０の先端に一直線上に連結されて、補助スライダー２２０はジッパースライダー２５０の一側で分離状態の結合歯５０、５２に位置するようになる。一方、補助スライダー２２０は連結輪２６０によりジッパースライダー２５０の先端に連結されて、補助スライダー２２０の移動によりジッパースライダー２５０が従動する。より詳細には、本実施形態に係るジッパー２１０は、補助スライダー２２０とジッパースライダー２５０から構成される。この時、ジッパースライダー２５０は一般的なジッパースライダーと同様に、ジッパーテープ６０、６２の対向面に設けられた複数の結合歯５０、５２を噛み合わせ及び分離させてジッパーを開閉する。
【００３３】
ジッパースライダー２５０の上部体２５２には補助スライダー２２０が連結される連結輪２６０が設けられて、その両側面には垂直下方に延びる離脱防止部２５４を備える。上部体２５２の下面中央には分離壁２５８が形成され、上部体２５２の下方には上部体２５２と分離壁２５８を介して下部板２５６が配置される。
【００３４】
ジッパースライダー２５０は分離壁２５８及び上部体２５２、下部板２５６により規定される案内路２３６を通じてジッパーの結合歯５０、５２に沿って移動しながら、これらの結合歯を噛み合わせる。
【００３５】
一方、本実施形態に係るジッパー２１０において、結合歯５０、５２の外側部にはジッパーの長手方向に沿って案内レール２７０が配置される。案内レール２７０はジッパーテープ６０、６２の上面に付着され、結合歯５０、５２の外側部でジッパーの長手方向に沿って延びて配置される。
【００３６】
一方、本発明のジッパーにおいて、ジッパースライダー２５０の先端に配置される補助スライダー２２０は案内レール２７０に沿って摺動しながら、結合歯５０、５２が噛み合う前にジッパーテープ６０、６２間の間隔を狭める内部構造を有する。
【００３７】
すなわち、図６に詳細に示すように、補助スライダー２２０はその下部に案内レール２７０が位置する複数の案内路２３６を提供するために、その下面中央に分離壁２３４が形成された上部体２２２と、上部体２２２の下部に結合されて案内路２３６を規定する下部支持板２３０と、上部体２２２と下部支持板２３０を結合させる固定ピン２４２を備える。
【００３８】
また、連結輪２６０を通じてジッパースライダー２５０に連結される補助スライダー２２０の一側には突出部２２６が形成されて、この突出部２２６の一端にはジッパースライダー２５０に形成された連結輪２６０が挿設される連結孔２２８が形成されている。
【００３９】
また、補助スライダー２２０は、その上部体２２２の両側から垂直下方に所定長さに延びる離脱防止部２２４を備えることによって、この
離脱防止部２２４により案内路２３６を通過する案内レール２７０から補助スライダー２２０が離脱することを防止する構成を有する。
【００４０】
一方、補助スライダー２２０内に規定される案内路２３６の構造を見ると、中心から一側(図５で右側)へ行くほど幅が拡大して案内レール２７０が広がるようにする拡張端２３８が形成されており、中心から他側(図５で左側)へ行くほど幅が縮小して案内レール２７０を狭めるようにする縮小端２４０が形成されている。したがって、補助スライダー２２０内に規定される案内路２３６はラッパ状になっている。
【００４１】
図４に一部拡大して断面図に示したように、案内レール２７０は一定間隔をおいて複数の凹溝２７２が形成され、その凹溝２７２の底面前方と後方にはそれぞれ縫線２７６が縫合される縫合孔２７４が形成される。縫線２７６と縫合孔２７４により案内レール２７０はジッパーテープ６０、６２に縫着される。
【００４２】
しかし、案内レール２７０がジッパーテープ６０、６２に付着される方式は、但し縫線２７６による縫着に限定されるものではなく、その外に多様な方法で案内レール２７０をジッパーテープ６０、６２に付着することが可能である。
【００４３】
また、案内レール２７０の材質は特に限定されず、適切な強度の合成樹脂や金属材質で製造できる。さらに、補助スライダー２２０も同様に、適切な強度の合成樹脂や金属材質などのような多様な材料で製造できる。
【００４４】
前述した構成の本実施形態に係るジッパーの機能と作用に対して添付図面を参照して詳細に説明する。図７は本発明の一実施形態に係る結合安定度が優れたジッパーのジッパースライダーによるガイド状態を示す平断面図である。
【００４５】
これを参照すれば、本実施形態に係るジッパー２１０において、補助スライダー２２０はその拡張端２３８が分離している結合歯５０、５２側に位置し、その内部に規定される案内路２３６には案内レール２７０が結合されている。そして、その補助スライダー２２０の縮小端２４０、すなわち結合されている結合歯５０、５２側には連結輪２６０により補助スライダー２２０と並べてジッパースライダー２５０が連結される。
【００４６】
したがって、補助スライダー２２０の拡張端２３８に連結された取っ手２４４を握って上方に引くと、結合歯５０、５２の外側に付着した案内レール２７０に沿って補助スライダー２２０が移動しながら、分離された状態で対向していた案内レール２７０を狭めるようになる。
【００４７】
すなわち、補助スライダー２２０の案内路２３６は拡張端２３８側の直径が大きく、縮小端２４０側へ行くほど順次に案内路２３６の直径が小さくなるので、補助スライダー２２０が上方に移動すると、相互対向する案内レール２７０が相互密着されるように狭める。それによって、両側のジッパーテープ６０、６２は相互密着する案内レール２７０によって互いに狭められるようになる。
【００４８】
その状態で、補助スライダー２２０により狭められた結合歯５０、５２がジッパースライダー２５０を通過しながら相互結合される。したがって、本実施形態に係るジッパー２１０は、補助スライダー２２０により非常に小さな力で対向する両側の結合歯５０、５２が容易に集められるので、結合歯５０、５２の噛み合いが容易になる。
【００４９】
特に、本実施形態に係るジッパー２１０を補正用下着のコルセットなどに適用する場合は、コルセットの内部に受容された身体の一部により外部に作用する圧力を抗してジッパー２１０が容易に移動できるので、片手でも容易にジッパー２１０を作動させることができる。このような作動は結合歯５０、５２がジッパースライダー２５０により結合される位置に到達する前に予め補助スライダー２２０が結合歯５０、５２を狭めることによって可能である。すなわち、補助スライダー２２０の採用によって結合歯５０、５２の噛み合いがより容易になる。
【００５０】
また、補助スライダー２２０及びジッパースライダー２５０が垂直でなく水平に並べて連結された構造であるので、全体ジッパースライダーの厚さが薄くなって異物感が小さくなる。また、案内レール２７０は既存のジッパーテープ６０、６２にも簡単に付着できるので、使用上汎用性が非常に高い。
【００５１】
一方、本実施形態に係るジッパー２１０を通じて結合歯５０、５２を分離させる作動を説明すると、まず、既に噛み合った結合歯５０、５２の間をジッパースライダー２５０が移動しながら、その内部の分離壁２５８が各結合歯５０、５２を分離させる。それと共に、ジッパースライダー２５０に連結された補助スライダー２２０が結合歯５０、５２の外側に付着した案内レール２７０に沿って移動しながら、その案内レール２７０を分離させる。それによって、ジッパーテープ６０、６２が容易に広がるようになるので、噛み合った結合歯５０、５２は小さな力でも容易に分離される。したがって、使用上便宜性が非常に高い。
【００５２】
本発明に係るジッパーによれば、補助スライダーが分離状態の両側の結合歯を予め狭めて、ジッパースライダーが結合歯をより一層容易に結合させることができ、それによって小さな力でも容易にジッパーの結合歯を噛み合わせることができる長所がある。また、ジッパースライダーと補助スライダーが水平に連結されているので、体積が小さくて異物感が少なく、案内レールを通じて結合歯が形成されたジッパーテープを扁平に維持させるので、結合歯が容易に噛み合うようになる長所がある。
【００５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００５４】
本発明によれば、小さな力でも容易にジッパーの結合歯を噛み合わせることができる結合安定度が優れたジッパーを提供する。従って、本発明の産業利用性はきわめて高いものといえる。
【図面の簡単な説明】
【００５５】
【図１】従来技術のジッパーの一例を示す平面図である。
【図２】図１に示したジッパーを改良した従来のジッパーを示す斜視図である。
【図３】図２に示したスライダー組立体を示す斜視図である。
【図４】本発明の一実施形態に係る結合安定度が優れたジッパーを示す斜視図である。
【図５】同実施形態に係る結合安定度が優れたジッパーのジッパースライダーを示す要部斜視図である。
【図６】同実施形態に係る結合安定度が優れたジッパーのジッパースライダー構造を示すジッパーテープの延在方向に対して垂直に切断した断面図である。
【図７】本発明の一実施形態に係る結合安定度が優れたジッパーのジッパースライダーによるガイド状態を示す平断面図である。
【符号の説明】
【００５６】
２１０    ジッパー
２２０    補助スライダー
２２２    上部体
２２４    離脱防止部
２２６    突出部
２２８    連結孔
２３０    下部支持板
２３４    分離壁
２３６    案内路
２５０    ジッパースライダー
２７０    案内レール
【図１】
0004574668.tif 000002
【図２】
0004574668.tif 000003
【図３】
0004574668.tif 000004
【図４】
0004574668.tif 000005
【図５】
0004574668.tif 000006
【図６】
0004574668.tif 000007
【図７】
0004574668.tif 000008